(57)【要約】【課題】整流回路を共用化した構成で２つのインバータを動作させる方式において、加熱コイル間の周波数差を可聴域以上に設けても干渉音が発生する。【解決手段】２つのインバータ４，５同時動作の際には一方のインバータの加熱周波数の２倍の周波数でもう一方のインバータを動作させることで、一方のインバータの加熱周波数の２次高調波ともう一方のインバータの加熱周波数間の干渉音を防止することができるため、動作中の音を静かにすることができる。【選択図】図１
2011071005.tif 000002
【特許請求の範囲】
【請求項１】
交流電源を整流する整流回路と、前記整流回路の出力を平滑する平滑コンデンサと前記平滑コンデンサの出力を半導体スイッチを用い所定の周波数の電力に変換し第１および第２の加熱コイルに高周波電力を供給するために並列に配置された第１および第２のインバータと、前記第１のインバータ及び第２のインバータ内の半導体スイッチの導通時間を制御する制御手段とを備え、前記第１のインバータと第２インバータが同時動作する際には、前記制御手段は第２のインバータ内の半導体スイッチの駆動周波数は第１のインバータ内の半導体スイッチの２倍の周波数で動作させる誘導加熱装置。
【請求項２】
第１のインバータの駆動周波数を２０ｋＨｚ以上とする請求項１に記載の誘導加熱装置。
【請求項３】
制御手段は、第１及び第２のインバータ内の半導体スイッチをそれぞれの固定周波数で動作させ、かつ導通比率を変えることで第１及び第２の加熱コイルへの供給電力を変化させる請求項１または２に記載の誘導加熱装置。
【請求項４】
制御手段は、第１及び第２のインバータが単独で動作する際は、周波数を変化させることで第１及び第２のインバータの加熱コイルへの電力供給を変化させる請求項１〜３のいずれか１項に記載の誘導加熱装置。
【請求項５】
制御手段は、第１及び第２の加熱コイルへ供給する電力を増加させる場合は、第１及び第２のインバータ内の半導体スイッチの導通比率を増加させ、導通比率が５０％に達した後は、導通比率５０％を維持しながら周波数を減少させる請求項１〜４のいずれか１項に記載の誘導加熱装置。
【請求項６】
第１の加熱コイルの外径を第２の加熱コイルの外径より大きくする請求項１〜５のいずれか１項に記載の誘導加熱装置。
【請求項７】
第１の加熱コイルの最大電力を第２の加熱コイルの最大電力より大きくする請求項１〜６のいずれか１項に記載の誘導加熱装置。
【発明の詳細な説明】
【技術分野】
【０００１】
本発明は、高周波磁界による誘導加熱を利用して被加熱物の加熱を行う誘導加熱装置に関するものである。
【背景技術】
【０００２】
従来この種の誘導加熱装置は、について図面を用いて説明する。図８は、従来の誘導加熱装置である。本従来例の誘導加熱装置は、交流電源１と第１及び第２の加熱コイル６，７と商用電源を整流する整流回路２と、整流回路２の電圧を平滑する平滑コンデンサ９と、平滑コンデンサ９の出力を高周波電力に変換し第１及び第２の加熱コイル６，７に高周波電力を供給する第１及び第２のインバータ４，５と、交流電源１からの入力電流を検出する入力電流検出手段３と、入力電流検出手段３の値が設定値となるように第１及び第２のインバータ４，５内にある半導体スイッチの動作状態を制御するマイクロコンピュータなどで構成される制御手段８より構成されている。
【０００３】
続いて本従来例の動作を説明する。制御手段８は、交流電源１からの入力電流をカレントトランスなどので構成される入力電流検出手段３で検出し、入力電流が予め設定された電流値になるように、第１及び第２のインバータ４，５内の半導体スイッチの導通時間を制御することで第１及び第２にインバータ４，５に接続された第１及び第２の加熱コイル６，７に必要な高周波電流を供給する。
【０００４】
そして、第１及び第２の加熱コイル６，７に供給された高周波電流により、第１及び第２の加熱コイル６，７より高周波磁界が発生し、加熱コイルと磁気的に結合する鍋などの負荷に高周波磁界が印可される。この印可された高周波磁界により、鍋などの負荷に渦電流が発生し、この渦電流と鍋自身が持つ表皮抵抗により鍋自身が発熱する。
【０００５】
ここで、第１及び第２の加熱コイル６，７が異なる周波数で動作した時には、第１の加熱コイル６に流れる電流の周波数と第２の加熱コイル７に流れる電流の周波数の差の周波数が可聴域の周波数である場合（概ね２０ｋＨｚ以下）は、差の周波数による音（以下干渉音）が機器使用者に聞こえることになる。
【０００６】
そのため、概ね２０ｋＨｚ以上の周波数差を付けて加熱する方法などが提案されている。
【先行技術文献】
【特許文献】
【０００７】
【特許文献１】米国特許出願公開第２００７／０１３５０３７号明細書
【特許文献２】実開昭５７−１７９２９６号公報
【発明の概要】
【発明が解決しようとする課題】
【０００８】
しかし、このような従来の誘導加熱装置では一方の加熱コイルにおいて、鍋の種類や加熱コイルへの供給電力の調整をインバータ内の半導体スイッチの駆動周波数を変えて行う場合にはおおよそ１５ｋＨｚ程度の幅が必要とされるため、干渉音をさけるためには、もう一方の加熱コイルのインバータ内の半導体スイッチの駆動周波数が６０〜８０ｋＨｚ程度になってしまい、半導体スイッチのスイッチング動作時の損失が大幅に増える課題が生じることになる。
【０００９】
一方、この課題を解決するために周波数を一定にしてインバータ内ので半導体スイッチの導通時間比で電力を調整する方法がある。しかし、図９に示す様に導通比率が５０％の際には駆動周波数（図９では２０ｋＨｚ）の高調波として３次高調波（図９では６０ｋＨｚ）が多くを占めているものが（図９（ａ）参照）、導通比率が５０％からずれるに従い駆動周波数の２次高調波（図９では４０ｋＨｚ）が多く発生することになる（図９（ｂ）参照）。特に、従来の誘導加熱装置のように一つの平滑コンデンサより複数の加熱コイルとインバータを動作させる際には、それぞれの加熱コイル電流で発生した周波数成分が共通部品である平滑コンデンサを通してお互いに加熱コイルの重畳することになる。
【００１０】
具体的には、図１０に示すように第１のインバータが２０ｋＨｚで駆動し、第２のインバータが４４ｋＨｚで駆動している場合には、第１のインバータの２次高調波である４０ｋＨｚと第２のインバータの駆動周波数である４４ｋＨｚの差の４ｋＨｚの成分が加熱コイル電流の発生し、鍋を通して干渉音として発生する課題を有することになる。
【課題を解決するための手段】
【００１１】
上記課題を解決するために本発明の誘導加熱装置は、交流電源を整流する整流回路と、前記整流回路の出力を平滑する平滑コンデンサと前記平滑コンデンサの出力を半導体スイッチを用い所定の周波数の電力に変換し第１および第２の加熱コイルに高周波電力を供給するために並列に配置された第１および第２のインバータと、前記第１のインバータ及び第２のインバータ内の半導体スイッチの導通時間を制御する制御手段とを備え、前記第１のインバータと第２インバータが同時動作する際には、前記制御手段は第２のインバータ内の半導体スイッチの駆動周波数は第１のインバータ内の半導体スイッチの２倍の周波数で動作させる誘導加熱装置としている。
【００１２】
これにより、整流回路を共用化した構成で２つのインバータを動作させる方式において、干渉音の発生が少ない誘導加熱装置を実現できるものである。
【発明の効果】
【００１３】
本発明は、整流回路を共用化した構成で２つのインバータを動作させる方式において、一方のインバータの加熱周波数の２倍の周波数でもう一方のインバータを動作させることで、加熱コイル間に発生する干渉音を少なくすることができるため、動作中の音が少ない静かな誘導加熱装置を実現できるものである。
【図面の簡単な説明】
【００１４】
【図１】本発明の実施の形態１における誘導加熱装置の回路構成を示す図
【図２】本発明の実施の形態１における誘導加熱装置の第１のインバータおよび第２のインバータの半導体スイッチの駆動信号を示す図
【図３】本発明の実施の形態１における誘導加熱装置の第１のインバータおよび第２のインバータの半導体スイッチの駆動信号を示す図
【図４】本発明の実施の形態１における誘導加熱装置の電力制御の方法を示す図
【図５】（ａ）本発明の実施の形態２における誘導加熱装置の各インバータの設定可能電力を示す図（ｂ）本発明の実施の形態２における誘導加熱装置の駆動周波数が変化する場合の制御を示す図（ｃ）本発明の実施の形態２における誘導加熱装置の導通比率を変えた場合の制御を示す図
【図６】本発明の実施の形態３における誘導加熱装置の構成を示す図
【図７】本発明の実施の形態３における誘導加熱装置の構成を示す図
【図８】従来の誘導加熱装置の回路構成を示す図
【図９】従来の誘導加熱装置の加熱コイルの周波数解析の例を示す図
【図１０】従来の誘導加熱装置の加熱コイルの周波数解析の例を示す図
【発明を実施するための形態】
【００１５】
第１の発明は、交流電源を整流する整流回路と、前記整流回路の出力を平滑する平滑コンデンサと前記平滑コンデンサの出力を半導体スイッチを用い所定の周波数の電力に変換し第１および第２の加熱コイルに高周波電力を供給するために並列に配置された第１および第２のインバータと、前記第１のインバータ及び第２のインバータ内の半導体スイッチの導通時間を制御する制御手段とを備え、前記第１のインバータと第２インバータが同時動作する際には、前記制御手段は第２のインバータ内の半導体スイッチの駆動周波数は第１のインバータ内の半導体スイッチの２倍の周波数で動作させることにより、一方のインバータの加熱周波数の２次高調波ともう一方のインバータの加熱周波数間の干渉音を防止することができ、動作時の音が静かな誘導加熱装置を実現できるものである。
【００１６】
第２の発明は、特に、１のインバータの駆動周波数を２０ｋＨｚ以上とすることにより、第１のインバータと第２のインバータ間の駆動周波数が２０ｋＨｚ以上離れるため、駆動周波数間の干渉音を防止することができ、音の静かな誘導加熱装置を実現できるものである。
【００１７】
第３の発明は、特に、制御手段は、第１及び第２のインバータ内の半導体スイッチをそれぞれの固定周波数で動作させ、かつ導通比率を変えることで第１及び第２の加熱コイルへの供給電力を変化させることにより、第２のインバータの駆動周波数が高くなることによる、インバータの損失増加を抑制することができるため、加熱効率の良い誘導加熱装置を実現できるものである。
【００１８】
第４の発明は、特に、制御手段は、第１及び第２のインバータが単独で動作する際は、周波数を変化させることで第１及び第２のインバータの加熱コイルへの電力供給を変化させることにより、単独同時に定格電力を上げることが容易になるため、高火力の誘導加熱装置を実現できるものである。
【００１９】
第５の発明は、特に、制御手段は、第１及び第２の加熱コイルへ供給する電力を増加させる場合は、第１及び第２のインバータ内の半導体スイッチの導通比率を増加させ、導通比率が５０％に達した後は、導通比率５０％を維持しながら周波数を減少させることにより、単独動作と同時動作で制御方法を共通化することができるため、制御性の良い誘導加熱装置を実現できるものである。
【００２０】
第６の発明は、特に、第１の加熱コイルの外径を第２の加熱コイルの外径より大きくすることにより、加熱コイルの素線の構成を大きく変えることなく加熱コイルとインバータ内の共振コンデンサより構成される共振回路の共振周波数を上げることが出来るために、駆動周波数を容易にあげることができ、安価な構成で干渉音が低減でき、音の静かな誘導加熱装置を実現できるものである。
【００２１】
第７の発明は、特に、第１の加熱コイルの最大電力を第２の加熱コイルの最大電力より大きくすることにより、冷却効率の悪い径の小さな加熱コイルの出力を抑える構成となるため、冷却構成を簡素化でき音の静かな誘導加熱装置を実現できるものである。
【００２２】
以下、本発明の実施の形態について、図面を参照しながら説明する。なお、この実施の形態によって本発明が限定されるものではない。
【００２３】
（実施の形態１）
本実施例は請求項１〜４に係わる。
【００２４】
図１は本発明の第１の実施の形態における誘導加熱装置の回路構成を示す図である。
【００２５】
図１において、交流電源１と、交流電源１を整流する整流回路２と、整流回路２の出力を平滑する平滑コンデンサ９と、平滑コンデンサ９の出力を高周波電力に変換する第１及び第２のインバータ４，５と、それぞれのインバータに接続されインバータから高周波電流が供給される第１及び第２の加熱コイル６，７と、交流電源１から整流回路２に流れる電流をカレントトランスなどで検出する入力電流検出手段３と、入力電流検出手段３の検出値が設定値になる様に第１及び第２のインバータ内の半導体スイッチを制御する制御手段８より構成される。
なお、制御手段８の目標値としては、入力電流以外に加熱コイルの電流や電圧などがあるが特に限定するものではない。
【００２６】
また、第１のインバータ４は、平滑コンデンサ９に並列に接続される半導体スイッチ１ａ１１と半導体スイッチ１ｂ１２の直列接続体と半導体スイッチ１ａ１１，１ｂ１２の直列接続体と平滑コンデンサ９の一端または両端に接続される第１の加熱コイル６と共振コンデンサ１ａ１３で構成されるハーフブリッジ回路の場合が多いが、フルブリッジ回路であっても特に問題はない。
【００２７】
同様に、第２インバータ５は、平滑コンデンサ９に並列に接続される半導体スイッチ２ａ１４と半導体スイッチ２ｂ１５の直列接続体と半導体スイッチ２ａ１４，２ｂ１５の直列接続体と平滑コンデンサ９の一端または両端に接続される第２の加熱コイル７と共振コンデンサ１ａ１３で構成されるハーフブリッジ回路である。
【００２８】
第１のインバータ４と第１の加熱コイル６、及び第２のインバータ５と第２の加熱コイル７は、制御手段８の指令に従い、それぞれの加熱コイルに２０ｋＨｚ程度の高周波電流を供給し、この高周波電流によって加熱コイルから発生した高周波磁界が鍋などの負荷に供給される。
【００２９】
この高周波磁界による鍋の表面に渦電流が発生し、渦電流と鍋などの負荷自身の抵抗により、鍋を加熱することになる。
【００３０】
一方、図１の様に第１の加熱コイル６と共振コンデンサ１ａ１３の直列共振回路を利用した第１にインバータ４では、制御手段８は鍋の材質あるいは入力電力を変えるために鍋を載置した第１の加熱コイル６のインダクタンスと共振コンデンサ１ａ１３の容量で決まる共振周波数に対して駆動周波数を変化させることで、入力電流などが所定値になるように半導体スイッチ１ａ１１、１ｂ１２を制御する場合が多い。
【００３１】
その際、第１の加熱コイルと第２の加熱コイルが同時に動作する際に、それぞれが異なる周波数で動作し、かつ駆動周波数の差が２０ｋＨｚ以内である場合には干渉音として機器使用者に聞こえることになる。
【００３２】
そこで、従来の様に互いに２０ｋＨｚ以上離れる様にそれぞれのインバータを設計して動作させる方式が提案されてはいるが、本実施の形態の様に平滑コンデンサ９が共用化されている構成では第１の加熱コイル６の駆動周波数だけではなく、高調波成分も、第２の加熱コイル７に重畳し、第１の加熱コイル６の２次高調波と第２の加熱コイル７の駆動周波数の間で干渉音が生じることになる。
【００３３】
図２は本発明の第１の実施の形態における誘導加熱装置の第１のインバータおよび第２のインバータの半導体スイッチの駆動信号を示す図である。
【００３４】
図２において、第１のインバータ４の内、半導体スイッチ１ａ１１の駆動信号を（ａ）
に、半導体スイッチ１ｂ１２の駆動信号を（ｂ）に、第２のインバータ５の内、半導体スイッチ２ａ１４の駆動信号を（ｃ）に、半導体スイッチ２ｂ１５の駆動信号を（ｄ）に示している。
【００３５】
制御手段８は、直列に接続された半導体スイッチを交互に導通させることで、加熱コイルに電力を供給することになる。
【００３６】
図２に示すように、同時動作する際には、第１のインバータ４は２０ｋＨｚで動作し、第２のインバータ５は４０ｋＨｚで動作させている。すなわち、第１の加熱コイル６の２倍の周波数で第２の加熱コイル７を動作させ、第１の加熱コイルの２次高調波と第２の加熱コイルの駆動周波数を一致させることで干渉音を低減させることになる。
【００３７】
第１のインバータ４の駆動周波数を２０ｋＨｚ以上とすることで、第１の加熱コイル６と第２の加熱コイル７間の駆動周波数の差は必ず２０ｋＨｚ以上とすることができ、駆動周波数間の干渉音も発生しない。
【００３８】
図３は本発明の第１の実施の形態における誘導加熱装置の第１のインバータおよび第２のインバータの半導体スイッチの駆動信号を示す図である。
【００３９】
図３において、第１のインバータ４の内、半導体スイッチ１ａ１１の駆動信号を（ａ）に、半導体スイッチ１ｂ１２の駆動信号を（ｂ）に、第２のインバータ５の内、半導体スイッチ２ａ１４の駆動信号を（ｃ）に、半導体スイッチ２ｂ１５の駆動信号を（ｄ）に示している。
【００４０】
制御手段８は、直列に接続された半導体スイッチを交互に導通させることで、加熱コイルに電力を供給することになる。
【００４１】
図３に示すように第１のインバータ４、第２のインバータ５とも半導体スイッチの導通比率を変えることで、駆動周波数を変えることと同様の効果が得られるため、鍋材質、形状や電力の設定値の変更などにも第１の加熱コイル６の２倍の周波数で第２の加熱コイルを動作させることができる。
【００４２】
図４は本発明の第１の実施の形態における誘導加熱装置の電力制御の方法を示す図であり、半導体スイッチの導通比率を変えた場合の入力電力の変化の例を示す。図４に示すように導通比率が５０％の時に最大電力となる。
【００４３】
なお、干渉音は第１の加熱コイル４と第２の加熱コイル５が同時に動作する際に生じるため、それぞれの加熱コイルが単独で動作する際には周波数で制御しても問題はない。
【００４４】
また、各インバータで単独動作時の定格電力の方が同時動作時の定格電力より大きい場合は、単独同時に周波数制御を行ない、高出力に対応することも可能である。
【００４５】
以上のように本実施の形態では、整流回路２を共用化した構成で２つのインバータを動作させる方式において、一方のインバータの加熱周波数の２倍の周波数でもう一方のインバータを動作させることで、加熱コイル間に発生する干渉音を少なくすることができるため、動作中の音が少ない静かな誘導加熱装置を実現できるものである。
【００４６】
（実施の形態２）
本実施の形態は請求項５に係わる。本実施の形態の構成は第１の実施の形態と同一である。
【００４７】
図５（ａ）は本発明の第２の実施の形態における誘導加熱装置の各インバータの設定可能電力を示す図（ｂ）は本発明の第２の実施の形態における誘導加熱装置の駆動周波数が変化する場合の制御を示す図（ｃ）は本発明の第２の実施の形態における誘導加熱装置の導通比率を変えた場合の制御を示す図である。
【００４８】
図５（ａ）に示すように、整流回路２を複数のインバータが共用化する構成（図１）では、２つのインバータの同時加熱の際に、単独のインバータが動作するときに定格電力を越えないようにすることで、共用化部分の部品の定格が大きくならないようにしている。
【００４９】
そのため、本実施の形態では単独動作のみが許される「Ｐ」設定を設けている。
【００５０】
一方、図５（ｃ）に示すように、駆動周波数を一定にして導通比率で行う場合には図４で示した様に導通比率が５０％の時に最大電力となる。そこで、材質の異なる負荷においても「Ｐ」設定で駆動周波数一定で制御を行えるようにすると、負荷Ｃでは導通比率が少ない状態で定格電力に達するため、導通比率の変化に対して電力変動が大きくなるなどの課題が生じることになる。
【００５１】
また、単独動作の設定の時に周波数制御に切り替える場合は、２種類の制御方法を持つことになり制御方法が煩雑になる課題を有することになる。
【００５２】
そのため、図５（ｃ）の様に同時動時の個別のインバータの最大電力までは導通比率で制御できる様にしておき、それ以上の出力に対しては導通比率が５０％を越えた後に、図５（ｂ）に示すように周波数制御に移行することで単独動作時と同時動作時の制御を区別することなく、また電力変動も大きくならずに制御することが可能となる。
【００５３】
以上のように本実施の形態では、制御手段は、第１及び第２の加熱コイルへ供給する電力を増加させる場合は、第１及び第２のインバータ内の半導体スイッチの導通比率を増加させ、導通比率が１／２に達した後は、導通比率１／２を維持しながら周波数を減少させることにより、単独動作と同時動作で制御方法を共通化することができるため、制御性の良い誘導加熱装置を実現できるものである。
【００５４】
（実施の形態３）
本実施の形態は請求項６〜７に係わる。本実施の形態の構成は第１の実施の形態と異なるのは、第１の加熱コイルの外径を第２の加熱コイルの外径より大きくしている点である。
【００５５】
図６は本発明の第３の実施の形態における誘導加熱装置の構成を示す図である。
【００５６】
図６において、トッププレート１８下に配置される加熱コイルの内、形状の大きな第１の加熱コイル６を手前側に、形状の小さな第２の加熱コイル７を奥に配置しており、第１の加熱コイルの前には誘導加熱装置の操作や装置の状態を表示する操作・表示部１７が配置されている。
【００５７】
加熱コイルと共振コンデンサが直列に接続される構成のハーフブリッジあるいはフルブリッジインバータでは、鍋などの負荷を含む加熱コイルのインダクタンスと共振コンデンサの容量で決まる共振周波数より、駆動周波数を高く設定し、共振周波数から駆動周波数をずらしていくことで負荷の材質、形状に対する対応や電力調整を行っている。そのため、共振周波数と最大電力時の駆動周波数は近い周波数になる場合が多い。
【００５８】
ここで、第１のインバータ４と第２にインバータ５は駆動周波数が２倍ことなるため、共振周波数も２倍程度異なることが望ましい。
【００５９】
ここで、共振周波数を２倍にするためには共振周波数が加熱コイルのインダクタンスと共振コンデンサの容量の積の平方根に反比例することから、加熱コイルのインダクタンスと共振コンデンサの容量の積を小さくする必要がある。
【００６０】
一方、加熱コイルのインダクタンスは巻数の２乗と外径に比例して大きくなるため、外径が小さく巻数も多く取れない形状の小さな加熱コイルはインダクタンスが小さくなる傾向になる。
【００６１】
そこで、形状の小さな加熱コイル側の共振周波数を高く設定することで無理なく周波数差を設けることができることになる。
【００６２】
また、形状の大きな第１の加熱コイル６の最大電力を大きくすることで、インバータの損失が大きくなる高周波動作を行う第２の加熱コイル７の最大電力を抑え、損失が増加することを防止することができる。
【００６３】
図７は、本発明の第３の実施の形態における誘導加熱装置の構成を示す図である。
【００６４】
図７において、加熱部が４個の場合の誘導加熱装置を示しているが、前後で共用化された一つのインバータを構成している。この構成であっても、４個同時動作を行っている際でも、同一周波数あるいは２倍の周波数で互いに動作しているため干渉音を大きく低減させることができるものである。
【００６５】
以上の様に本実施の形態では、第１の加熱コイルの外径を第２の加熱コイルの外径より大きくすることにより、加熱コイルの素線の構成を大きく変えることなく加熱コイルとインバータ内の共振コンデンサより構成される共振回路の共振周波数を上げることが出来るために、駆動周波数を容易にあげることができ、安価な構成で干渉音が低減でき、音の静かな誘導加熱装置を実現できるものである。
【産業上の利用可能性】
【００６６】
以上のように、本発明にかかる誘導加熱装置は、加熱コイル間に発生する干渉音が少なく、動作中の音を少なく静かにすることが可能となるので、誘導加熱による調理器に有効である。
【符号の説明】
【００６７】
１  交流電源
２  整流回路
４  第１のインバータ
５  第２のインバータ
６  第１の加熱コイル
７  第２の加熱コイル
８  制御手段
９  平滑コンデンサ
１１  半導体スイッチ１ａ
１２  半導体スイッチ１ｂ
１３  共振コンデンサ１ａ
１４  半導体スイッチ２ａ
１５  半導体スイッチ２ｂ
１６  共振コンデンサ２ａ
【図１】
2011071005.tif 000003
【図２】
2011071005.tif 000004
【図３】
2011071005.tif 000005
【図４】
2011071005.tif 000006
【図５】
2011071005.tif 000007
【図６】
2011071005.tif 000008
【図７】
2011071005.tif 000009
【図８】
2011071005.tif 000010
【図９】
2011071005.tif 000011
【図１０】
2011071005.tif 000012